(57)【要約】  【課題】  Ｗ−ＣＤＭＡ通信端末用上り伝送情報識別コードＴＦＣＩの選択制御処理を行う伝送情報識別コード選択制御回路（ＴＦＣ選択制御回路）において、最大送信電力の制約に応じた送信処理を、処理に必要なメモリテ−ブル規模を削減し、処理時間の余裕度を向上させて実現するＴＦＣ選択制御回路を提供する。  【解決手段】  全送信出力電力が最大送信電力となる制御チャネルの閾値送信電力を、データチャネルと制御チャネルのレベル制御の為に使われるゲインファクタの可能な組合せと前記最大送信電力とから、事前に制御チャネル閾値電力テーブルとしてテーブル化する制御チャネル閾値電力テーブル化手段、該制御チャネル閾値電力テーブル化手段のテーブル値と送信出力の所定単位時間毎の制御チャネル電力を比較する電力比較手段、を有する伝送情報識別コード選択制御回路。【選択図】  図１ 
2006020234.tif 000002
【特許請求の範囲】
【請求項１】
最大送信電力制約に従って状態遷移を行いながら、Ｗ−ＣＤＭＡ通信端末用に基地局向けの上り伝送情報識別コード選択制御処理を行う伝送情報識別コード選択制御回路において、
全送信電力が最大送信電力となる制御チャネルの閾値送信電力を、データチャネルと制御チャネルのレベル制御に使われるゲインファクタの可能な組合せと前記最大送信電力とから、制御チャネル閾値電力テーブルとしてテーブル化する制御チャネル閾値電力テーブル化手段、
該制御チャネル閾値電力テーブル化手段のテーブル値と所定単位時間毎の前記制御チャネルの送信電力を比較する電力比較手段を備え、伝送情報識別コードの選択制御を行うことを特徴とする伝送情報識別コード選択制御回路。
【請求項２】
請求項１に記載の伝送情報識別コード選択制御回路において、
基地局からの高速ダウンリンク共用チャネルに対する応答チャネルの利用が開始された場合に、
前記制御チャネル閾値電力テーブル化手段は、
該応答チャネルの確認応答信号に対して呼接続時に上位レイヤから指定された該応答チャネルのゲインファクタによる変化分を差し引いた、前記制御チャネル閾値電力テーブルの作成を行う、伝送情報識別コード選択制御回路。
【請求項３】
請求項１又は請求項２に記載の伝送情報識別コード選択制御回路において、
最大送信電力制約を基にした前記伝送情報識別コード選択制御処理における状態遷移管
理を、前記制御チャネル閾値電力テーブルにおける制御チャネル、データチャネルのゲインファクタの組合せ値を基に行う事を特徴とする伝送情報識別コード選択制御回路。
【請求項４】
請求項３に記載の伝送情報識別コード選択制御回路において、
前記ゲインファクタβｄとゲインファクタβｃの組合せ毎に作成する状態管理テ−ブルを送信電力の高い組合せ順に並べて作成し、
伝送情報識別コード決定の為の最新測定区間に対して特定のゲインファクタβｄとゲインファクタβｃにより決まる送信電力が最大送信電力を該最新測定区間の内、半数の前記所定単位時間で超えている場合は、
該送信電力を閾値としてそれより送信電力が高い組合せの該βｄと該βｃは全て半数以上の所定単位時間で越えているとして判断し、
特定のゲインファクタβｄとゲインファクタβｃにより決まる送信電力が前記最新測定区間で最大送信電力を超えていない場合は、
該送信電力を閾値としてそれより送信電力が低い組合せのゲインファクタβｄとゲインファクタβｃによる送信電力は最新測定区間で超えていないとして判断し、
状態遷移条件の判断を行う伝送情報識別コード選択制御回路。
【請求項５】
請求項4に記載の伝送情報識別コード選択制御回路において、
前記ゲインファクタβｄとゲインファクタβｃの組合せ毎に作成する状態管理テ−ブルを送信電力の高い方から並べて管理し、
送信電力が、最大送信電力を前記最新測定区間の内、初めて半数以上の前記所定単位時間で超えたゲインファクタβｃとゲインファクタβｄの組合せと、
送信電力が、最大送信電力を最新測定区間全てで初めて越えていないゲインファクタβｃとゲインファクタβｄの組合せを閾値として保持し、
次のフレ−ムで閾値を探す時に、保持した閾値の場所から新しい閾値を探す伝送情報識別コード選択制御回路。
【発明の詳細な説明】
【技術分野】
【０００１】
本発明は、Ｗ−ＣＤＭＡ通信端末用上り伝送情報識別コードを表すＴＦＣＩ（Ｔｒａｎｓｐｏｒｔ  Ｆｏｒｍａｔ  Ｃｏｍｂｉｎａｔｉｏｎ  Ｉｎｄｉｃａｔｏｒ）の選択を行う伝送情報コード選択制御回路に関するものである。
【背景技術】
【０００２】
Ｗ−ＣＤＭＡは、３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）で、携帯端末用の世界標準が討論され、標準規格が作成されている（非特許文献１）。
【０００３】
Ｗ−ＣＤＭＡでは、世界統一標準方式の確立と同時に、携帯通信利用の主流となりつつある広帯域マルチメディア通信を、限られた帯域資源を使用してより効率的に行なうことが意識されている。
【０００４】
即ち、電話、映像付き電話等のリアルタイムの情報や、電子メ−ル、ホ−ムペ−ジ閲覧等の非リアルタイムのデ−タ伝送などの、同時伝送形態を含むマルチメディア伝送は、各々の情報伝送速度が数ｋｂｐｓから数百ｋｂｐｓ以上の速度まで、様々な範囲の値をとる。
【０００５】
また、信号の性質も、電話やホ−ムペ−ジ閲覧、電子メ−ル転送等のバ−スト的な信号から、インタ−ネットにおけるＷＥＢ放送局からの音声放送や映像付き放送、動画像付電話などの如く、連続的な信号まで様々な信号が伝送される。
【０００６】
Ｗ−ＣＤＭＡでは、同じ伝送帯域を同じチップレ−トを使って、時分割多重伝送と符号多重伝送を組み合わせマルチメディア多重伝送が行なわれ、符号多重伝送では直交符号検出とフィルタリング処理による伝送信号の復調を基本技術とする為、他のチャネルからの不要な漏れ込み信号は、極力少なくする必要がある。
【０００７】
とくに、複数の加入者からの信号を、同時に所定の品質レベルを維持しながら受信しなければならない基地局に対して、携帯端末から送信される信号レベルは、十分な受信品質を保証すると同時に、他のチャネルへの干渉が極力小さな値に抑える必要がある。
【０００８】
即ち、フィルタリング処理後の符号波形識別点における誤率を所定のレベル以下に保つ為に、復調検出点における信号レベルと符号間干渉を含む帯域内雑音レベルの比率を一定以上の値に保つ必要がある。
【０００９】
この結果、映像等の広帯域の信号では、復調ＳＮ比率を維持する為に、送信レベルを高い値に設定する必要があるが、低速の信号では復調帯域が狭く他チャネルからの干渉や帯域内雑音レベルも小さい為、送信レベルを下げることが出来る。
【００１０】
また、デ−タ伝送の中断時の無信号状態では、信号を送る必要がない為、無信号レベルまで落とすことが出来る。
【００１１】
この為に、Ｗ−ＣＤＭＡでは、上位レイヤからの指示に応じて、基地局への上りの制御信号チャネル送信レベルとデ−タチャネル送信レベルを、上位レイヤからのデ−タ受け渡しの基本フレームである１０ ｍｓ刻みのＴＴＩ（Ｔｒａｎｓｍｉｓｓｉｏｎ  Ｔｉｍｅ  Ｉｎｔｅｒｖａｌ）のｒａｄｉｏ  ｆｒａｍｅをさらに均等に時間細分したスロットと称する時間単位で、きめ細かに制御している。
【００１２】
図１６に、上り送信出力回路における送信電力制御構成を示す。
【００１３】
図１６で、２００は上り送信出力回路、２１０は直交符号乗算部、２２０はゲインファクタ乗算部、２３０、２４０は、Ｉ、Ｑ各々の成分に対する加算回路、２５０は直交振幅変調用の乗算部、２６０は、Ｉ，Ｑ成分の出力加算部を示す。
【００１４】
図１６に示す如く、音声や画像、デ−タ信号等の各種マルチメディアデ−タを時間多重形式で送るデ−タ専用チャネルＤＰＤＣＨ（Ｄｅｄｉｃａｔｅｄ  Ｐｈｙｓｉｃａｌ  Ｄａｔａ  Ｃｈａｎｎｅｌ）、携帯端末から基地局へ制御情報を伝達する為の制御専用チャネルの制御入力信号ＤＰＣＣＨ（Ｄｅｄｉｃａｔｅｄ  Ｐｈｙｓｉｃａｌ  Ｃｏｎｔｒｏｌ  Ｃｈａｎｎｅｌｌ）、基地局から映像放送配信等を目的とした高速ダウンリンク共用チャネルＨＳ−ＤＳＣＨ（Ｈｉｇｈ  Ｓｐｅｅｄ  Ｄｏｗｎｌｉｎｋ  Ｓｈａｒｅｄ  Ｃｈａｎｎｅｌ）による高速デ−タ配信がある場合の高速応答チャネルＨＳ−ＤＰＣＣＨ（Ｈｉｇｈ  Ｓｐｅｅｄ  Ｄｅｄｉｃａｔｅｄ  Ｐｈｙｓｉｃａｌ  Ｃｏｎｔｒｏｌ  Ｃｈａｎｎｅｌ）の各信号に対して、直交符号乗算部２１０で各々に割り当てられた直交符号Ｃｄ１〜Ｃｄ３、Ｃｈｓが乗算され、ゲインファクタ乗算部２２０で各々に応じた適切なゲインファクタβｃ、βｄ、βｈｓが乗算され、直交振幅変調部２５０、出力加算部２６０を経て、送信出力が行なわれる。
【００１５】
後述する如く、デ−タチャネル用のゲインファクタβｄ、制御チャネル用のゲインファクタβｃは、呼接続時に上位レイヤから指定された値を初期値として０〜１５の変動値をとる。
【００１６】
また、高速応答チャネル用のゲインファクタβｈｓは、呼接続時に上位レイヤから指定され、１〜８の間のいずれかの固定値をとる。
【００１７】
他方、音声・画像やデ−タパケットなどのマルチメディア情報を各々の要求に応じた複数の伝送速度で符号化し、共通のフレ−ムに時間多重化し伝送するマルチメディア多重伝送方式が既に実用化され、３ＧＰＰでも採用されている。
【００１８】
このマルチメディア多重化伝送方式では、伝送速度を主とした各伝送情報形式に対応して１対１に定まるＴＦ（Ｔｒａｎｓｐｏｒｔ  Ｆｏｒｍａｔ）の複数組み合わせであるＴＦＳ（Ｔｒａｎｓｐｏｒｔ  Ｆｏｒｍａｔ  Ｓｅｔ）が上位レイヤから指定される。
【００１９】
ＴＦＳに、ゲインファクタ情報を加味し、さらに、送信最大電力の制約を考慮して求められた、３ＧＰＰ規定の状態遷移ルールを基に、最終的なＴＦＣ（Ｔｒａｎｓｐｏｒｔ  Ｆｏｒｍａｔ  Ｃｏｍｂｉｎａｔｉｏｎ）がスロット毎に選択される。
【００２０】
このＴＦＣをコ−ド化したトランスポ−ト形式組合せ識別子ＴＦＣＩ（Ｔｒａｎｓｐｏｒｔ  Ｆｏｒｍａｔ  Ｃｏｍｂｉｎａｔｉｏｎ  Ｉｎｄｉｃａｔｏｒ）を受信側に通知する。
【００２１】
受信側では、ＴＦＣＩを識別し、送信側で行なった送信情報の組合せや伝送速度に応じた、復調処理を行なう事によって効率的な受信復調処理を行なうことが出来る。
【００２２】
図１７は、ＴＦとＴＦＣ、ＴＦＣＩ、ゲインファクタの相互関係を示す。
【００２３】
図１７で、３００は、アプリケ−ションに応じたＴＦのセットの割当を行なうＴＦＳ割当部、１００は、ＴＦの組合せとゲインファクタ、最大送信電力制約に応じて適切なＴＦＣを決定し、ＴＦＣＩを送信する伝送情報コード選択制御回路（以下、略してＴＦＣ選択制御回路と呼称）を示す。
【００２４】
携帯端末で、電話やメ−ル、ホ−ムペ−ジアクセス、画像電話等のアプリケ−ションが起動され、上位レイヤ（レイヤ２、３）からの指示があると、それに応じて、ＴＦS割当部３００で各アプリケ−ション毎に適した各ＴＦが決定され、ＴＦの組合せであるＴＦＳと、ゲインファクタ、最大送信電力制約による状態遷移条件を考慮して、フレーム毎に各スロットにおけるＴＦＣＩが最終的に決定され送信される。
【００２５】
図１８は、上りフレ−ムとＴＦＣＩの構成位置を示す。
【００２６】
図１８で、デ−タチャネルＤＰＤＣＨ、制御チャネルＤＰＣＣＨが同じスロットに符号多重される。ＴＦＣＩは、制御チャネルＤＰＣＣＨの中に時間多重されて、他の制御情報であるＰｉｌｏｔ信号、ＦＢＩ信号、基地局へのト−タルパワ−制御信指示号ＴＰＣと一
緒に送信される。
【００２７】
尚、基地局からの高速ダウンリンク共用チャネルＨＳ−ＤＳＣＨの利用がある場合の応答信号である高速応答チャネルＨＳ−ＤＰＣＣＨ信号も、受信信号品質を表すＣＱＩ信号と、ＡＣＫ又はＮＡＣＫの組合せ応答信号が時間多重され、同じスロットを使って、符号多重され送信される。
【００２８】
ＴＦＣＩコ−ドの構成は、後述する如く、マルチメディアデ−タの種類と、ゲインファクタ、最大送信電力制約の組合せに応じて決まり、最大１０ビット構成をとる。
【００２９】
即ち、ＴＦＣ選択により、各アプリケーションに対応したトランスポートチャネルの無線区間で送信するＴＴＩ単位時間あたりのビット数即ちビットレートが確定する。
【００３０】
また、そのビットレートに対応して各トランスポートチャネルのＴＦＩからＴＦＣＩが確定し、ＴＦＣＩの値は、０〜１０２３計１０２４通りの１０ビットで表される。
【００３１】
その際、各トランスポートチャネルの送信ビット数と、上位レイヤからの指定パラメータであるＲｅｆｅｒｅｎｃｅＴＦＣＩ、βｒｅｆ、βｃｒｅｆとから、ゲインファクタβｄ、βｃが計算される。
【００３２】
図１９は、従来のＴＦＣ選択制御回路の機能ブロック構成図を示す。
【００３３】
図１９で、１００はＴＦＣ選択制御回路、１１０は、上位レイヤからの指示に応じて、ゲインファクタβｃ、βｄ、βｈｓを決定するゲインファクタ部で、１２０はゲインファクタ部１１０の出力と上位アプリケ−ションからの指示に応じて、ＴＦＣＩの決定を行なうＴＦＣ選択部を示す。
【００３４】
ゲインファクタ部１１０は、通信開始時のβｃ、βｄの初期値であるβｃｒｅｆ、βｄｒｅｆ、ＴＣＦＩの初期値であるｒｅｆｅｒｅｎｃｅＴＦＣＩと、上位レイヤからのアプリケ−ションの動的な変化に応じて、指示されるＴＦＣＳ（Ｔｒａｎｓｐｏｒｔ  Ｆｏｒｍａｔ  Ｃｏｍｂｉｎａｔｉｏｎ  Ｓｅｔ）指示信号Ｋｊを基に、ゲインファクタβｃ、βｄの決定を行なうゲインファクタ演算部１１１と、高速チャネル応答信号のＨＳ−ＤＰＣＣＨ信号を送信する場合にＨＳ−ＤＰＣＣＨのゲインファクタβｈｓを定める為に必要なβｈｓ演算部１１２、ゲインファクタ演算部１１１の中間演算出力を基にゲインファクタβｃ、βｄを決定するＴＦＣＩ−βｃ、βｄ対応管理部１１３を示す。
【００３５】
さらに、ＴＦＣ選択部１２０において、１２１は、上位アプリケ−ションからの指示で決まるスロット毎の制御チャネルＤＰＣＣＨの送信電力Ｐｃ（ｓ）レベルと、ゲインファクタ部１１０から出力されるゲインファクタβｃ、βｄ、βｈｓを基に、スロット毎送信電力Ｐ（ｓ，ｊ）を算出するＰ（ｓ，ｊ）演算部、１２２はＰ（ｓ，ｊ）演算部１２１のスロット毎の送信出力Ｐ（ｓ，ｊ）と、最大送信電力Ｐｍａｘレベル、高速応答チャネルの使用に伴い使用される確認応答信号であるＡＣＫ、ＮＡＣＫ、ＣＱＩ、ＤＴＸの情報を基に、スロット毎送信電力と最大送信電力Ｐｍａｘの比較を行なうＰ（ｓ，ｊ），Ｐｍａｘ比較部、１２３はＰ（ｓ，ｊ），Ｐｍａｘ比較部１２２からの３０スロット分のＰ（ｓ，ｊ）演算結果とＰｍａｘの比較結果を基に、３０スロット分の単位タイムスロットに対応して設定されたＰ（ｓ，ｊ）がＰｍａｘを超過している個数をカウントするＴＦＣ毎Ｐｍａｘ越え数管理部、１２４はＴＦＣ越え数管理部１２３の出力であるＴＦＣ毎Ｐｍａｘ越え管理情報を基にＴＦＣの状態制御を行なうＴＦＣ状態遷移制御部、１２５はＴＦＣ状態遷移制御部のＴＦＣ状態遷移制御情報を基にＴＦＣ状態の管理を行なうＴＦＣ状態管理部、１２６はＴＦＣ状態管理部１２５の出力結果を基に、最終的にＴＦＣＩの決定を行なうＴＦＣ選択制御部、を示す。
【００３６】
ゲインファクタ演算部１１１は、送信開始時に、上位アプリケ−ションからその都度指定されたトランスポ−ト形式識別子の初期値であるｒｅｆｅｒｅｎｃｅＴＦＣＩ、ゲインファクタβｃ、βｄの初期値であるβｃｒｅｆ、βｄｒｅｆを初期値として通信中に動的に変化するゲインファクタβｃ、βｄを求める為の中間処理値を求める為の演算処理を行なう。
【００３７】
又、βｈｓ演算部１１２は、高速ダウンリンク共用チャネルＨＳ−ＤＳＣＨによるデ−タ送信があった時に確認応答信号のゲインファクタ演算用として、通常の制御信号チャネルＤＰＣＣＨ、デ−タチャネルＤＰＤＣＨ用のＴＦＣＩ−β，βｄ対応管理部１１３とは別途設けられる。
【００３８】
図１６の上り送信出力回路における送信電力制御構成にしめした如く、ＨＳ−ＤＰＣＣＨが使用される場合は、ＨＳ−ＤＰＣＣＨを使って基地局に返信される応答用のＡＣＫかＮＡＣＫと、ＣＱＩ（Ｃｈａｎｎｅｌ  ＱｕＡｌｉｔｙ  Ｉｎｆｏｒｍａｔｉｏｎ）信号がセットで時分割多重・符号多重されたＨＳ−ＤＰＣＣＨ信号に対してレベルファクタβｈｓをかけてレベル調整する。
【００３９】
レベルファクタβｈｓは、上位レイヤから指示する各制御信号の差分信号として決まる△ＡＣＫ、△ＮＡＣＫ、△ＣＱＩを基に求まり、１〜８の値をとる。
【００４０】
即ち、ゲインファクタ部１１０では、通信アプリケ−ションから指定された通信開始時の初期状態からスタ−トして、通信中の上位アプリケ−ションの変化に応じてスロット毎に計算される最大１０２４通りの選択指示信号ＴＦＣＳ信号Ｋｊを受けて、ゲインファクタβｃ、βｄが動的に決定される。
【００４１】
又、ＴＦＣ選択部１２０で、通信中の上位アプリケ−ションの変化に応じてＷ−ＣＤＭＡのｒａｄｉｏ  ｆｒａｍｅである１０ｍｓ周期のタイムフレ−ムを１５等分したスロット毎に、ゲインファクタ部１１０からのゲインファクタβｃ、βｄ、βｈｓの出力結果と、指示される選択指示信号ＴＦＣＳ信号Ｋｊを受けて、ＴＦＣＩの決定が動的に行なわれる。
【００４２】
以下に、さらにゲインファクタ部、ＴＦＣ選択部について詳細な説明を行う。
【００４３】
１）ゲインファクタ部
ゲインファクタ演算部１１１では、ＴＦＣ選択およびその他の送信電力制御の為必要なゲインファクタβｄ，βｃの計算をＴＦＣ数全て（最大１０２４）について求める必要があり、呼接続時等にＴＦＣＩ−βｃ，βｄ対応管理部１１３にて管理を行う。
【００４４】
βｃとβｄの演算方法は、３ＧＰＰ規格では以下のようになる。
【００４５】
Ｋｊ：ｊ番目ＴＦＣＩのＤＰＤＣＨ送信ビット数（整数の積和演算で求まる）
Ｋｒｅｆ：演算の基準となるＴＦＣＩのＤＰＤＣＨ送信ビット数（整数の積和演        算で求まる）                                                          
βｄｒｅｆ：演算の基準となるＴＦＣＩのβｄ
βｃｒｅｆ：演算の基準となるＴＦＣＩのβｃ
βｄｒｅｆ、βｃｒｅｆは、通信開始時の初期値で上位からの指定値。
【００４６】
Ａｊ ＝ ｓｑｒｔ（Ｋｊ／Ｋｒｅｆ）×（βｄｒｅｆ／βｃｒｅｆ）・・・式１
βｄ ＝ １５，
βｃ ＝ Ｒｏｕｎｄｄｏｗｎ（１５／Ａｊ）・・βｃ＝１〜１５の整数                                （Ａｊ＞１）・・・式２
βｄ ＝ Ｒｏｕｎｄｕｐ（１５×Ａｊ），
βｃ ＝ １５………βｄ＝０〜１４の整数
（Ａｊ≦１）・・・式３  
βｄとβｃを求める為に必要な浮動小数点演算を伴う平方根演算および除算処理が必要になる。
【００４７】
ＨＳ−ＤＰＣＣＨ送信がある場合はＨＳ−ＤＰＣＣＨ有時βｈｓ演算部１１２にてＨＳ−ＤＰＣＣＨのゲインファクタβｈｓを算出する。
【００４８】
βｈｓは、
ΔＨＳ−ＤＰＣＣＨ：ΔＡＣＫ（ＡＣＫ送信時），ΔＮＡＣＫ（ＮＡＣＫ送信時），
ΔＣＱＩ（ＣＱＩ送信時）ΔＡＣＫ，ΔＮＡＣＫ，ΔＣＱＩはそれぞれ０，１，…，８の値をとる。
【００４９】
βｈｓ ＝ βｃ×１０^（ΔＨＳ−ＤＰＣＣＨ／２０）・・・式４
＝βｃ×Ｎ  （ Ｎ＝１０^（ΔＨＳ−ＤＰＣＣＨ／２０） ）
で表せ、１０のべき乗の計算が必要となる。
【００５０】
一般的には１０^（ΔＨＳ−ＤＰＣＣＨ／２０）をテ−ブル化して置く方法が考えられ  る。ΔＨＳ−ＤＰＣＣＨはスロット毎に、ＡＣＫ、ＮＡＣＫ、ＣＱＩの差分値であるΔ  ＡＣＫ（ＡＣＫ送信時），ΔＮＡＣＫ（ＮＡＣＫ送信時），ΔＣＱＩ（ＣＱＩ送信時）およびＤＴＸ（送信なし）で求められ、１〜８の値をとるが、呼の接続時に上位レイヤから指定された固定値をとる。
２）ＴＦＣ選択部
ＴＦＣ選択部は１フレ−ム（１０ｍｓ）毎に動作する。
【００５１】
（１）ＨＳ−ＤＰＣＣＨ送信が有る場合
Ｐ（ｓ，ｊ）演算部１２１にてｊ番目のＴＦＣのｓスロット目の推定送信電力値Ｐ（ｓ，ｊ）を計算し、Ｐ（ｓ，ｊ），Ｐｍａｘ比較部１２２にてその値が接続時に上位より通知される最大送信電力値Ｐｍａｘ（ｄＢｍ）と比較して大きいか小さいかをスロット毎に比較をして比較結果をＴＦＣ毎Ｐｍａｘ越え数管理部１２３で保持する。
【００５２】
１０ｍｓ毎に最新３０スロットの各ＴＦＣの比較結果より、ＴＦＣ状態遷移制御部１２４にて各ＴＦＣそれぞれがＳｕｐｐｏｒｔｅｄ ｓｔａｔｅ／Ｅｘｅｓｓ−Ｐｏｗｅｒ ｓｔａｔｅ／Ｂｌｏｃｋｅｄ ｓｔａｔｅの３状態のどの状態にあるかを判断し、ＴＦＣ状態管理部１２５で管理を行う。
【００５３】
ＴＦＣ選択制御部１２６では、ＴＦＣ状態管理部１２５の情報を元にＢｌｏｃｋｅｄ ｓｔａｔｅ状態のＴＦＣは送信しないようにＴＦＣ選択する。
【００５４】
（２）ＨＳ−ＤＰＣＣＨが無い場合
ＤＰＤＣＨとＤＰＣＣＨがＩＱ多重されて送信されて、ＢＰＳＫ変調形式で送信されるために、ｇａｉｎ ｆａｃｔｏｒとして計算されるβｄとβｃは、ＤＰＤＣＨとＤＰＣＣＨの電圧比となる。
【００５５】
ＤＰＤＣＨの送信電力ＰｄとＤＰＣＣＨの送信電力Ｐｃの関係は以下となる。
【００５６】
Ｐｄ：Ｐｃ ＝ βｄ2：βｃ2
これより
Ｐｄ＝（βｃ2／βｄ2）×Ｐｃ
となる。
【００５７】
ｓスロット、ｊ番目のＴＦＣにおける推定送信電力値Ｐ（ｓ，ｊ） は、ＤＰＤＣＨの電力値をＰｄ（ｓ，ｊ）、ＤＰＣＣＨの電力値Ｐｃ（ｓ）として、
Ｐ（ｓ，ｊ） ＝ Ｐｄ（ｓ，ｊ） ＋ Ｐｃ（ｓ）
＝ （βｄ（ｊ）2／βｃ（ｊ）2）Ｐｃ（ｓ） ＋ Ｐｃ（ｓ）
＝ （１ ＋ βｄ（ｊ）2／βｃ（ｊ）2）Ｐｃ（ｓ）
対数変換して（ｄＢｍ）単位の送信電力値をＰ（ｓ，ｊ） （ｄＢｍ）とすると、
Ｐ（ｓ，ｊ）＝ （１０Ｌｏｇ10（１ ＋ βｄ（ｊ）2／βｃ（ｊ）2） ＋ Ｐｃ（ｓ））
（ｄＢｍ）・・・式５
ｓ：ｓｌｏｔ番号０〜１４
ｊ：ＴＦＣＩ番号０〜１０２３（ｍａｘ）
Ｐ（ｓ，ｊ）演算部１２１では、式１の演算を行うが、処理の簡略化の為に１０Ｌｏｇ10（１ ＋ βｄ（ｊ）2／βｃ（ｊ）2）はβｄとβｃの組合せ毎にテ−ブル化することは一般的に考えられる。
【００５８】
その場合も式５はＴＦＣ毎に加算処理が必要となる。
【００５９】
Ｐ（ｓ，ｊ）演算部１２１で求めたｊ番目のＴＦＣのｓスロットの推定送信電力値Ｐ（ｓ，ｊ）は、上位より通知される最大送信電力Ｐｍａｘ（ｄＢｍ）を超えるかどうかをＰ（ｓ，ｊ），Ｐｍａｘ比較部１２２にて比較され、結果はＴＦＣ毎Ｐｍａｘ越え数管理部１２３にて蓄積され管理される。
【００６０】
この結果を元にＴＦＣ状態遷移制御部１２４では、図２０の３ＧＰＰ規定のＴＦＣ選択状態遷移図に示す状態遷移の制御を行う。
【００６１】
図２０の選択状態遷移図中の３状態の定義を以下に示す。
Ａ）Ｓｕｐｐｏｒｔｅｄ ｓｔａｔｅ（送信可能状態）
推定した送信電力値が最大送信電力値を超えていない状態。
【００６２】
このＴＦＣは送信を行なってもよいＴＦＣ。
Ｂ）Ｅｘｅｓｓ−Ｐｏｗｅｒ ｓｔａｔｅ（送信パワ−超過状態）
推定した送信電力値が最大送信電力値以上になった状態。
【００６３】
このＴＦＣは送信を行なってもよいＴＦＣ。
Ｃ）Ｂｌｏｃｋｅｄ ｓｔａｔｅ（ＴＦＣ制限状態）
推定した送信電力値が最大送信電力値以上になることがしばらく続いた状態。このＴ    ＦＣは送信不可。
また、図２０中の３状態を遷移する状態遷移の定義を以下に示す。
１）送信パワ−基準超え
推定した送信電力値が連続する測定区間３０スロット中１５スロット以上最大送信電力  値以上となった場合に遷移する。遷移の検出は１０ｍｓ毎に行なう。
２）ＴＦＣ制限基準超え
下記の式で定義される測定区間Ｔblocking（ｍｓ）内で送信可能復帰条件を満足できない場合に最長ＴＴＩのタイミングに合わせて遷移する。
【００６４】
これは、遷移時に制限前のＴＦＣで送信している場合はこのＴＦＣでの送信を終了させてから遷移させたいためである。
【００６５】
Ｔblocking＝３０ｍｓ＋Ｔmodify
Ｔmodify＝ＭＡＸ（ＴAdapt_max，ＴTTI）
ＴAdapt_max；ＡＭＲサ−ビス４０ｍｓ、他のサ−ビスでは０ｍｓ
ＴTTI：選択したＴＦＣの中で最長のＴＴＩ
３）送信可能復帰
推定した送信電力値が連続３０スロット最大送信電力値未満だった場合に遷移する。
【００６６】
ＴＦＣ状態遷移制御部１２４における状態の結果はＴＦＣ状態管理部１２５にて管理され、ＴＦＣ選択制御部１２５でＢｌｏｃｋｅｄ ｓｔａｔｅでない状態のＴＦＣの中から最適なものを選択する。
【００６７】
図２１にＨＳ−ＤＰＣＣＨ無し時のＴＦＣＩ０，ＴＦＣＩ１の送信電力イメ−ジ例を示す。
【００６８】
ＴＦＣは３ＧＰＰの規定によって、で最大１０２４個の可能性がある。
【００６９】
その場合、Ｐ（ｓ，ｊ）演算部１２１では３０スロットで１０２４個ＴＦＣの推定電力値の式１を計算し、Ｐ（ｓ，ｊ），Ｐｍａｘ比較部１２２にて１０２４個分の計算結果と最大送信電力値との比較を行い、ＴＦＣ状態遷移制御部１２４およびＴＦＣ状態管理部１２５では１０２４個ＴＦＣの状態遷移を制御して管理をする必要がある。
【００７０】
この為、膨大な計算量、計算結果値保持のためのメモリ容量が必要となる。
【００７１】
例えばＴＦＣ数が５４個でＴＦＣインジケ−タＴＦＣＩがＴＦＣＩ＝０〜５３の場合、ＴＦＣ状態管理部１２５では、図２２のＴＦＣ状態管理部１２５の管理テーブル例の様に管理テーブルを構成しＴＦＣ状態の管理を行う。
【００７２】
この例では５４ＷＯＲＤのメモリが必要になるが、ＴＦＣ数最大１０２４個のために１０２４ＷＯＲＤのメモリ量を確保する必要がある。
【００７３】
ＨＳ−ＤＰＣＣＨ送信がある場合はＨＳ−ＤＰＣＣＨのゲインファクタをβｈｓとすると、ＤＰＣＣＨとＨＳ−ＤＰＣＣＨを加算したゲインファクタβｃ’は、
βｃ’ ＝ βｃ ＋ βｈｓ・・・式６        
となり、式５などでβｃと置き換えてＰ（ｓ，ｊ）演算部１２１にて送信電力Ｐ（ｓ，ｊ）を算出する。
【００７４】
ここで、βｈｓはＨＳ−ＤＰＣＣＨ送信デ−タは、応答信号がＡＣＫ、ＮＡＣＫ、ＣＱＩ、ＤＴＸ（ＨＳ−ＤＰＣＣＨ送信無し）かによってそれぞれ値が異なる。
【００７５】
図２３にＨＳ−ＤＰＣＣＨ有り時のＴＦＣＩ０，ＴＦＣＩ１の送信電力イメ−ジ例を示す。
【００７６】
上記に説明した如く、従来の技術では、式１の演算を行うＰ（ｓ，ｊ）演算部１２１にて推定送信電力Ｐ（ｓ，ｊ）を求め、Ｐ（ｓ，ｊ），Ｐｍａｘ比較部１２２にて予め決められた最大送信可能電力Ｐｍａｘと比較する必要があり、この処理を最新１５ｓｌｏｔ×最大１０２４ＴＦＣに対して行う必要がある。
【００７７】
１フレ−ム（１０ｍｓ）毎にＴＦＣ選択をする機能の１つである為に処理時間的に厳しいという問題がある。
【００７８】
また、従来の技術のＴＦＣ選択で説明した様に、ＴＦＣ状態遷移制御部１２４では上位レイヤから与えられた最大１０２４ありうる全ＴＦＣに対してＳｕｐｐｏｒｔｅｄ ｓｔａｔｅ／Ｅｘｅｓｓ−Ｐｏｗｅｒ ｓｔａｔｅ／Ｂｌｏｃｋｅｄ ｓｔａｔｅの３つのステ−トを持つ状態遷移を行う必要がある。
【００７９】
この処理は１フレ−ム（１０ｍｓ）毎に行う必要がある為に処理時間的に厳しいと共に、状態遷移後にＴＦＣ状態管理部１２５で、管理する場合、遷移状態を保持するメモリとして最大で１０２４ＷＯＲＤ分が必要になる。
【００８０】
このメモリは最大１０２４ＴＦＣ分が必要となる可能性がある為、必ず１０２４ＷＯＲＤが必要となる。
【００８１】
さらに、従来の方法では、ＴＦＣ状態遷移制御部１２４にて行う状態遷移条件判断を全ＴＦＣに対して行う必要がある。１フレ−ム（１０ｍｓ）毎にＴＦＣ選択をする機能の１つである為に時間的に厳しいという問題がある。
【００８２】
また、各部の制御に必要なメモリについてもそれぞれ最大ＴＦＣ分である１０２４ＷＯＲＤが必要となる。
【００８３】
ＴＦＣ選択を行うにはＤＰＣＣＨとＤＰＤＣＨのゲインファクタであるゲインファクタβｃとβｄを全ＴＦＣについて算出する必要がある。
【００８４】
この処理は、１フレ−ム（１０ｍｓ）毎に行う必要は無いので、呼接続時にまとめて計算する方法をとることが考えられるが、浮動小数点を含む平方根演算が含まれる式２、式３を最大１０２４通りで算出するのは多くの処理時間を要するという問題がある。
【００８５】
処理時間が不足するという問題は、決められた時間に複数の処理を行う必要があるシステムでは他の処理を圧迫するだけでなく、処理が間に合わないといった場合にはシステムのア−キテクチャそのものを変更する必要さえ生じる。
【００８６】
尚、ＴＦＣＩの送信・受信に係る回路実現技術に関しては、先願発明（特許文献１、２）が開示されているが、送信回路構成の規模削減、処理の容易化については、これまで技術開示が行われていない。
【特許文献１】特開２００２−２４７１２７号公報
【特許文献２】特開２００３−３０４１９５号公報
【非特許文献１】「Ｒｅｑｕｉｒｅｍｅｎｔｓ  ｆｏｒ  ｓｕｐｐｏｒｔ  ｏｆ  ｒａｄｉｏ  ｒｅｓｏｕｒｃｅ  ｍａｎａｇｅｍｅｎｔ（ＦＤＤ），３ＧＰＰ  ＴＳ  ２５．１３３  Ｖ５．９．０（２００３−１２）
【発明の開示】
【発明が解決しようとする課題】
【００８７】
Ｗ−ＣＤＭＡ通信端末用の基地局向け上り伝送伝送情報情報識別コードを表すＴＦＣＩ（Ｔｒａｎｓｐｏｒｔ  Ｆｏｒｍａｔ  Ｃｏｍｂｉｎａｔｉｏｎ  Ｉｎｄｉｃａｔｏｒ）の決定を行う伝送情報コード選択制御回路（ＴＦＣ選択制御回路）において、最大送信電力の制約に応じた送信処理を、処理に必要なメモリテ−ブル規模を削減し、処理時間の余裕度を向上させて実現するＴＦＣ選択制御回路を提供する。
【課題を解決するための手段】
【００８８】
上記課題を解決するための第１の発明は、
最大送信電力制約に従って状態遷移を行いながら、Ｗ−ＣＤＭＡ通信端末用に基地局向けの上り信号の伝送情報識別コード選択制御処理を行う伝送情報識別コード選択制御回路において、
全送信電力が最大送信電力となる制御チャネルの閾値送信電力を、データチャネルと制御チャネルのレベル制御の為に使われるゲインファクタの可能な組合せと前記最大送信電力とから、事前に制御チャネル閾値電力テーブルとしてテーブル化する制御チャネル閾値電力テーブル化手段、
該制御チャネル閾値電力テーブル化手段のテーブル値と所定単位時間毎の前記制御チャネルの送信電力を比較する電力比較手段、を有し、伝送情報識別コードの選択制御を行うことを特徴とする伝送情報識別コード選択制御回路を提供する。
【００８９】
本発明によれば、従来は１０２４ワード分の比較テーブルを持ち、各単位時間スロットにおける全送信電力が最大送信電力となるかどうかをチェックして状態遷移の制御を行っていたが、小規模比較テーブルを該最大電力指定後に作成しておき、このテーブルに格納された制御チャネルの閾値電力値とスロットの電力を比較するだけで判定が行える。
【００９０】
この為、メモリ規模の大幅な削減と処理時間の低減を実現することが出来る。
【００９１】
上記課題を解決するための第２の発明は、第１の発明に記載の伝送情報識別コード選択制御回路において、
基地局からの高速ダウンリンク共用チャネルに対する応答チャネルの利用が開始された場合に、
前記制御チャネル閾値電力テーブル化手段は、
該応答チャネルの確認応答信号に対して呼接続時に上位レイヤから指定された該応答チャネルのゲインファクタによる変化分を差し引いた、前記制御チャネル閾値電力テーブルの作成を行う、伝送情報識別コード選択制御回路を提供する。
【００９２】
本発明によれば、基地局からの高速ダウンリンク共用チャネルに対する高速応答チャネルの利用が開始された場合でも、高速応答チャネルの各応答信号に対して上位レイヤから指定される呼接続時の固定ゲインファクタ分を考慮しながら、制御チャネル閾値電力テーブルの作成を行うことが出来る。
【００９３】
又、テーブルの規模も第１の発明の４倍と従来に比べて小規模で済み、処理の高速化を実現できる。
【００９４】
上記課題を解決するための第３の発明は、
第１の発明また第２の発明に記載の伝送情報識別コード選択制御回路において、
最大送信電力制約を基にした前記伝送情報識別コード選択制御処理における状態遷移管理を、前記制御チャネル閾値電力テーブルにおける制御チャネル、データチャネルのゲインファクタの組合せ値を基に行う事を特徴とする伝送情報識別コード選択制御回路を提供する。
【００９５】
本発明によれば、最大送信電力の制約による伝送情報識別コードの選択の為の状態遷移
制御を、従来の１０２４通りある伝送情報識別コード（ＴＦＣＩ）に対して行うのでなく、３０通りの制御チャネルとデータチャネルのゲインファクタの組合せ値に対して行えば良い為、処理負荷の大幅な削減を実現することができる。
【００９６】
上記課題を解決するための第４の発明は、
第３の発明に記載の伝送情報識別コード選択制御回路において、
前記ゲインファクタβｄとゲインファクタβｃの組合せ毎に作成する状態管理テ−ブルを送信電力の高い組合せ順に並べて作成し、
伝送情報識別コード決定の為の最新測定区間に対して特定のゲインファクタβｄとゲインファクタβｃにより決まる送信電力が最大送信電力を該最新測定区間の内、半数の前記所定単位時間で超えている場合は、
該送信電力を閾値としてそれより送信電力が高い組合せの該βｄと該βｃは全て半数以上の所定単位時間で越えているとして判断し、
特定のゲインファクタβｄとゲインファクタβｃにより決まる送信電力が前記最新測定
区間で最大送信電力を超えていない場合は、
該送信電力を閾値としてそれより送信電力が低い組合せのゲインファクタβｄとゲインファクタβｃによる送信電力は最新測定区間で超えていないとして判断し、
状態遷移条件の判断を行う伝送情報識別コード選択制御回路を提供する。
【００９７】
本発明によれば、第３の発明の効果に加え、状態遷移条件を満たす切れ目を見つけることによって、最小4回の条件判断で状態遷移の判断を完了することが出来る。
【００９８】
上記課題を解決するための第５の発明は、
第４の発明に記載の伝送情報識別コード選択制御回路において、
前記ゲインファクタβｄとゲインファクタβｃの組合せ毎に作成する状態管理テ−ブルを送信電力の高い方から並べて管理し、
送信電力が、最大送信電力を前記最新測定区間の内、初めて半数以上の前記所定単位時間で超えたゲインファクタβｃとゲインファクタβｄの組合せと、
送信電力が、最大送信電力を最新測定区間全てで初めて越えていないゲインファクタβｃとゲインファクタβｄの組合せを閾値として保持し、
次のフレ−ムで閾値を探す時に、保持した閾値の場所から新しい閾値を探す伝送情報識別コード選択制御回路を提供する。
【００９９】
本発明によれば、送信電力値は徐々に変化する特性がある為に、閾値は急激に変化することはないので、前のフレームの閾値をを保持し、次フレームで処理を行う際にその前後の閾値を探していくことで容易に遷移条件を満たす新しい切れ目を探すことが出来る。
【発明の効果】
【０１００】
Ｗ−ＣＤＭＡ通信端末用上り伝送情報識別コード選択制御回路（ＴＦＣ選択制御回路）において、最大送信電力の制約に応じた状態遷移、伝送情報識別コード（ＴＦＣＩ）の選択処理を処理に必要なメモリテ−ブル規模と処理時間の大幅な削減した、伝送情報識別コード選択制御回路が実現できる。
【発明を実施するための最良の形態】
【０１０１】
最大送信電力制約に従って状態遷移制御を行いながら、Ｗ−ＣＤＭＡ通信端末用上り伝送情報識別コードとなるＴＦＣＩ（Ｔｒａｎｓｐｏｒｔ  Ｆｏｒｍａｔ  Ｃｏｍｂｉｎａｔｉｏｎ  Ｉｎｄｉｃａｔｏｒ）の選択制御処理を行う伝送情報識別コード選択制御回路において、全送信出力電力が最大送信電力となる制御チャネルの閾値送信電力を、データチャネルと制御チャネルのレベル制御の為に使われるゲインファクタの可能な組合せと前記最大送信電力とから、制御チャネル閾値電力テーブルとしてテーブル化する制御チャネル閾値電力テーブル化手段、該制御チャネル閾値電力テーブル化手段のテーブル値と送信出力の所定単位時間毎の制御チャネル電力を比較する電力比較手段、を有する伝送情報識別コード選択制御回路。
【実施例１】
【０１０２】
図１に、本発明のＴＦＣ選択制御回路の機能ブロック構成図を示す。
【０１０３】
図１で、図１９の従来のＴＦＣ制御回路の機能ブロック構成図のＴＦＣ選択部に対して、追加された１２７は、βｃ、βｄ組合せに対して、下記に説明する閾値制御電力Ｐｃ＿ｔ（ｋ）を算出する為のＰｃ＿ｔ（ｋ）テーブル作成部、１２８は、作成されたＰｃ＿ｔ（ｋ）テーブルを保持するＰｃ＿ｔ（ｋ）テーブル部、１２９は、スロット毎の制御電力Ｐｃ（ｓ）とＰｃ＿ｔ（ｋ）テーブルに保持された閾値制御電力Ｐｃ＿ｔ（ｋ）の比較を行うＰｃ（ｓ），Ｐｃ＿ｔ（ｋ）比較部、を示す。
【０１０４】
尚、図１９におけるP（ｓ，ｊ）演算部１２１、Ｐ（ｓ），Ｐｍａｘ比較部１２２は、各々、Ｐｃ＿ｔ（ｋ）テーブル部１２８、Ｐｃ（ｓ），Ｐｃ＿ｔ（ｋ）比較部１２９と置き換えられている。
【０１０５】
上記の回路構成にした理由を以下に説明する。
【０１０６】
前述の式１からｓスロット目のｊ番目のＴＦＣＩにおける送信電力Ｐ（ｓ，ｊ）が最大送信電力Ｐｍａｘ（ｄＢｍ）と等しくなる各ＴＦＣ毎のＤＰＣＣＨ電力値Ｐｃ（ｄＢｍ）をＰｃ＿ｔ（ｄＢｍ）とすると以下の様に表せる。
Ｐｃ＿ｔ（ｊ） ＝ Ｐｍａｘ −１０Ｌｏｇ10（１ ＋ βｄ（ｊ）2／βｃ（ｊ）2  ）
ｊ：ＴＦＣＩ番号０〜１０２３（ｍａｘ）
図２は、制御チャネル閾値電力Ｐｃ＿ｔ（ｋ）テーブル例である。図２は、最大送信電力Ｐｍａｘが２４ｄＢｍ時の例として、ゲインファクタβｃ、βｄの可能な組合せに対して、送信電力が最大送信電力値になる時の制御チャネルの閾値電力値を算出した制御チャネル閾値電力Ｐｃ＿ｔ（ｋ）テーブルをしめす。
【０１０７】
ゲインファクタ値βｄ（ｊ），βｃ（ｊ）の組合せは、ＴＦＣ数がいくつであっても図２の制御チャネル閾値電力Ｐｃ＿ｔ（ｋ）テーブル例に示す如く、３０通り（ＧＦ Ｔａｂｌｅ Ｎｏ．）の組合せに集約される。これは、式７として表せる。
Ｐｃ＿ｔ（ｋ） ＝ Ｐｍａｘ −１０Ｌｏｇ10（１ ＋ βｄ（ｋ）2／βｃ（ｋ）2  ）                                                                        ・・・式７
ｋ：ＧＦ Ｔａｂｌｅ Ｎｏ． ０〜２９
１）ＨＳ−ＤＰＣＣＨ送信が無い場合で、βｈｓは入力されない場合
本発明では式７により図２の制御チャネル閾値電力Ｐｃ＿ｔ（ｋ）テーブルを作成するＰｃ＿ｔ（ｋ）テ−ブル作成部１２７を持ち、固定値であるＰｍａｘ上位から与えられた際に各ＧＦ Ｔａｂｌｅ Ｎｏ．毎に図２の表の様にテ−ブル化してＰｃ＿ｔ（ｋ）テ−ブル１２８を作成する。
【０１０８】
この図２の表の例では、Ｐｍａｘ＝２４ｄＢｍとして表を作成している。このテ−ブルは上位からＰｍａｘを与えられた直後から作成することが出来るので、１フレ−ム（１０ｍｓ）毎に処理を行う必要がない。
【０１０９】
式７ではＬｏｇ10（１ ＋ βｄ（ｊ）2／βｃ（ｊ）2）のに対数の計算が必要であるが、ゲインファクタ値の組合せ数である３０通りの値として予めテ−ブル化することで容易に計算することが出来る。
【０１１０】
その後、本来の目的であるｊ番目のＴＦＣのｓスロットの送信電力値Ｐ（ｓ，ｊ）が最大送信電力Ｐｍａｘを越えるかどうかをＰｃ（ｓ），Ｐｃ＿ｔ（ｋ）比較部１２９にてＰｃ（ｓ）とＰｃ＿ｔ（ｋ）を比較することで判定出来る。
【０１１１】
この時、ｊ番目のＴＦＣがどのβｃ，βｄの組合せのｋとなるかをＴＦＣＩ−βｃ，βｄ対応管理部１１３から参照する。
【０１１２】
２）ＨＳ−ＤＰＣＣＨ送信があり、βｈｓを考慮する必要がある場合
式６のβｃ’を式５のβｃに置き換えて計算を行い、βｈｓには式６を使用する。
【０１１３】
βｈｓを求めるのに必要なΔＨＳ−ＤＰＣＣＨは、ＡＣＫ／ＮＡＣＫ／ＣＱＩに応じてΔＡＣＫ／ΔＮＡＣＫ／ΔＣＱＩが上位から与えられる。
【０１１４】
この値は、呼接続毎に決められる固定値であり、ＨＳ−ＤＰＣＣＨ送信なしの場合と同様に考え、ＤＴＸＨＳ−ＤＰＣＣＨ送信なしのＤＴＸ時を加えてＰｃ＿ｔ（ｋ）テ−ブル作成部１２７にて、式６からＡＣＫ送信時、ＮＡＣＫ送信時、ＣＱＩ送信時、未送信時の４種類のＰｃ＿ｔ（ｋ）のテ−ブル（βｃとβｄの３０組合せ×４種類）を呼接続時に作成し、Ｐｃ＿ｔ（ｋ）テ−ブル１２８とする。
【０１１５】
ＨＳ−ＤＰＣＣＨ送信ありの時と同様にｊ番目のＴＦＣのｓスロットの送信電力値Ｐ（ｓ，ｊ）が最大送信電力Ｐｍａｘを越えるかどうかをＰｃ（ｓ），Ｐｃ＿ｔ（ｋ）比較部１２９にてＰｃ（ｓ）とＰｃ＿ｔ（ｋ）を比較することで判定する。
【０１１６】
但し、閾値電力Ｐｃ＿ｔ（ｋ）は毎フレ−ム（１０ｍｓ）毎に変化するＡＣＫ／ＮＡＣＫ／ＣＱＩ／ＤＴＸを元に参照するＰｃ＿ｔ（ｋ）テ−ブルを選択して参照する。
【０１１７】
それ以外は、ＨＳ−ＤＰＣＣＨ送信ありの時と同様に動作する。
【０１１８】
この様に、本発明では、呼接続時などの最大送信電力値Ｐｍａｘが与えられた時に、Ｐｃ＿ｔ（ｋ）テ−ブル作成部１２７にて図２３のようにＧＦ Ｔａｂｌｅ Ｎｏ．毎にＰｃ＿ｔをあらかじめ計算しておく。
【０１１９】
但し、上記の如く、ＨＳ−ＤＰＣＣＨ送信ありの時を考慮する場合は４種類計算する。
【０１２０】
これによって、Ｐｃ（ｓ）とＰｃ＿ｔ（ｋ）テ−ブル１２８から得たＰｃ＿ｔ（ｋ）の比較のみで最大送信電力値を超えるかどうかをＰｃ（ｓ），Ｐｃ＿ｔ（ｋ）比較部１２９にて判断することが出来るようになる。
【０１２１】
これに対して、従来技術では、Ｐ（ｓ，ｊ）演算部１２１にて式１を用いて計算した送信電力Ｐ（ｓ，ｊ）と最大送信電力値Ｐｍａｘを比較して最新３０ｓｌｏｔで何スロットが最大送信電力Ｐｍａｘを超えているか判断しており、Ｐ（ｓ，ｊ），Ｐｍａｘ比較部１２２の処理を、毎フレ−ム（１０ｍｓ）毎に１５ｓｌｏｔ×１０２４ＴＦＣ（ｍａｘ）について行っていた。
【０１２２】
また、従来の技術ではこの頻度でＰ（ｓ，ｊ）演算部１２１の演算も行なう必要があったが本発明ではＰ（ｓ，ｊ）演算部１２１の演算の必要なくなった為に処理が軽減する。
【０１２３】
さらに、詳細な考察・検討を行うと全てのＴＦＣの状態遷移はゲインファクタの値を元に計算された送信電力により遷移を行うのでゲインファクタの組合せである３０種類に集約されることが分かる。
【０１２４】
つまり同じゲインファクタの組合せとなるＴＦＣは同じ状態遷移をする。
【０１２５】
したがって、ＴＦＣの状態遷移管理を、ＴＦＣＩ毎ではなく、図２の制御チャネル閾値電力Ｐｃ＿ｔ（ｋ）テーブルのＧＦ Ｔａｂｌｅ Ｎｏ毎に行う構成とすると状態遷移の判断処理がより簡単に行える。
【実施例２】
【０１２６】
図３に、本発明のＴＦＣ選択制御回路の第２の機能ブロック構成図を示す。
【０１２７】
図３では、図１の本発明のＴＦＣ選択制御回路の機能ブロック構成図において、Ｐｃ（ｓ），Ｐｃ＿ｔ（ｋ）比較部１２９はＰｃ（ｓ），Ｐｃ＿ｔ（ｋ）比較部１２９’、ＴＦＣ毎Ｐｍａｘ越え数管理部１２３はβｃ，βｄ組合せ毎Ｐｍａｘ越え数管理部１３０、ＴＦＣ状態遷移制御部１２４はβｃ，βｄ組合せ毎状態遷移制御部１３１、ＴＦＣ状態管理部１２５はβｃ，βｄ組合せ毎状態管理部１３２にに置き換えられ、これまでＴＦＣ毎に動作していた各部はβｃ，βｄ組合せ毎に制御および管理される。
【０１２８】
図４のβｃ，βｄ組合せ毎状態管理部１３２の管理テーブル例として、図２２のＴＦＣ状態管理部１２５の管理テーブル例を集約して作成される、βｃ，βｄ組合せ毎状態管理部１３０で管理される管理テ−ブル例を示す。
【０１２９】
図２２の例ではＴＦＣの数は５４であるが、実際には最大１０２４ＴＦＣある管理テ−ブルを図４の様に３０列のテ−ブルとして集約することが出来る。
βｃ，βｄ組合せ毎Ｐｍａｘ越え数管理部１３０においても、従来最大１０２４ＴＦＣ分を管理する必要があったが、同様にβｃ，βｄ組合せ毎に３０列のテ−ブルとして管理することが出来る。
【０１３０】
ＴＦＣ毎の状態遷移管理をβｃとβｄの組合せ毎に行うことで、ＴＦＣ状態遷移管理部１２５において従来は最大で１０２４状態の管理を必要としていた処理を、βｃ,βｄ組合せ毎状態管理部１３２のおける図５のβｃ，βｄ組合せ毎Ｐｍａｘ越え数管理部１３０の管理テーブル例に示す如く、ＧＦ  Ｔａｂｌｅ Ｎｏ．０〜２９の３０パターン列の管理のみで良くなる。
【０１３１】
あるＴＦＣの状態を知りたい場合には、ＴＦＣ−βｃ，βｄ対応管理部１１３からそのＴＦＣに対応したβｃとβｄを参照し、βｃ,βｄ組合せ毎状態管理部１３２から対応する状態を選ぶだけでよい。
【０１３２】
これは、状態をメモリや配列に保持して置き、それを参照するだけで容易に構成することが出来るものである。
【０１３３】
同時に、Ｐｃ（ｔ），Ｐｃ＿ｔ（ｋ）比較部１２９’とβｃ,βｄ組合せ毎Ｐｍａｘ越え数管理部１３０とβｃ,βｄ組合せ毎状態遷移制御部１３１は従来最大１０２４個について処理していたが３０個のみの処理で済む様になる。
【０１３４】
この状態遷移処理は毎フレーム１０ｍｓ毎に行うべき処理であり、最大１０２４ＴＦＣそれぞれにて行うものである為、１０２４個のＴＦＣで状態遷移を行うものとして処理の見積もりを行う必要があったが、本発明によれば３０個固定の処理だけでよくなる。
【０１３５】
さらに、図５において、βｃ，βｄ組合せ毎Ｐｍａｘ越え数管理部１３０における管理テ−ブルを、送信電力が大きい順に並べて管理する。
【０１３６】
式５からβｄ→大、βｃ→小ほど送信電力値が大きくなる。
【０１３７】
図５では、βｃ，βｄの組合せを送信電力が大きい順に並べてＧＦ Ｔａｂｌｅ Ｎｏ． ｋを０から２９として作成している。
【０１３８】
従来の技術で説明したＴＦＣ選択による状態遷移の定義には、
１）送信パワ−基準超え、２）ＴＦＣ制限基準超え、３）送信可能復帰があるが、その判断条件として、
（a）推定した送信電力値が連続する測定区間３０スロット中１５スロット以上最大送信
電力値以上となった場合
（b）推定した送信電力値が連続３０スロット最大送信電力値未満だった場合
が必要となる。
【０１３９】
図５の管理テ−ブルによるβｃ，βｄ組合せ毎状態遷移制御部１３１の処理は、（ａ）の１５スロット以上最大送信電力値以上となったβｃとβｄの組合せ（１つ目の閾値）以下のＧＦ Ｔａｂｌｅ Ｎｏ．では(a)の条件を満たしていると判断出来る。
【０１４０】
また、（ｂ）の連続３０スロット最大送信電力値未満となったβｃとβｄの組合せ（２つ目の閾値）以上のＧＦ Ｔａｂｌｅ Ｎｏ．では（ｂ）の条件を満たしていると判断出来る。
【０１４１】
本発明によれば、（ａ）、（ｂ）それぞれの場合に、ＧＦ Ｔａｂｌｅ Ｎｏ．０〜２９でその条件判断を行っていたが、条件を満たす切れ目を見つけることで最小４回の条件判断で完了することが出来るものである。
【０１４２】
さらに、従来の技術の図２０で説明で説明したβｃ，βｄ組合せ毎状態遷移制御部１３１にて制御時に使用される状態遷移の定義で必要となっていた、最新３０ｓｌｏｔ中１５ｓｌｏｔがＰｍａｘを越えるＧＦ Ｔａｂｌｅ Ｎｏ：ｋと、全３０ｓｌｏｔがＰｍａｘを越えないｋを、の各々を閾値として次フレ−ムで効率良く処理を行う為に保持する構成とする。
【０１４３】
送信電力値は、スロット毎に０．５ｄＢまたは１．０ｄＢずつ変化し、徐々に変化する特性がある為に、前記２つの閾値は急激に変化することはないので、２つの閾値となるＧＦ Ｔａｂｌｅ Ｎｏ．を保持し、次フレ−ムで処理を行う際にその前後を探していくことで容易に新しい切れ目を探し出すことが出来る。
【０１４４】
さらに、図４のβｃ、βｄ組合せ毎Ｐｍａｘ越え数管理部１３２の管理テーブル例の如くβｃ，βｄ組合せ毎状態管理部１３２の状態管理テ−ブルを、送信電力が大きい順に並べて管理する。
【０１４５】
図４では、βｃ，βｄの組合せを送信電力が大きい順に並べてＧＦ Ｔａｂｌｅ Ｎｏ． ｋを０から２９として作成している。
【０１４６】
従来の技術で説明したＴＦＣの状態には
Ａ）Ｓｕｐｐｏｒｔｅｄ ｓｔａｔｅ
Ｂ）Ｅｘｅｓｓ−Ｐｏｗｅｒ ｓｔａｔｅ
Ｃ）Ｂｌｏｃｋｅｄ ｓｔａｔｅ
があるが、図４の管理テ−ブルによればβｃ，βｄ組合せ毎状態遷移制御部１３１にてＢｌｏｃｋｅｄ ｓｔａｔｅとなるβｃとβｄの組合せ以下のＧＦ Ｔａｂｌｅ Ｎｏ．では全てＢｌｏｃｋｅｄ ｓｔａｔｅになると判断出来る。
【０１４７】
また、Ｓｕｐｐｏｒｔｅｄ ｓｔａｔｅとなるβｃとβｄの組合せ以上のＧＦ Ｔａｂｌｅ Ｎｏ．では全てＳｕｐｐｏｒｔｅｄ ｓｔａｔｅになると判断出来る。
【０１４８】
最後にＢｌｏｃｋｅｄ ｓｔａｔｅでもＳｕｐｐｏｒｔｅｄ ｓｔａｔｅでもないＧＦ Ｔａｂｌｅ Ｎｏ．では、Ｅｘｅｓｓ−Ｐｏｗｅｒ ｓｔａｔｅと判断する。
【０１４９】
本発明によれば、ＧＦ Ｔａｂｌｅ Ｎｏ．０〜２９で状態遷移の判断をおこなう代わりに、βｃ，βｄ組合せ毎Ｐｍａｘ越え数管理部１３０の管理テ−ブルを元に最低４回で状態遷移の判断を行うことが出来る。
【０１５０】
以下に、さらに、処理数を減らすことができる発明について説明する。
【０１５１】
上記に説明した如く、図１９の従来技術でも、図１、図３の本発明の技術でも、ゲインファクタ演算部１１１で各ｔｆｃのβｄとβｃを求めて、ＴＦＣＩ−βｃ、βｄ対応管理部１１３のテーブルを作成する必要がある。
【０１５２】
この時、ゲインファクタ演算部１１１で必要な浮動小数点演算を伴う平方根演算βｃを計算する際に、式全体を２乗するという工夫をする。
【０１５３】
Ａｊ ＝ ｓｑｒｔ（Ｋｊ／Ｋｒｅｆ）×（βｄｒｅｆ／βｃｒｅｆ）・・・式１再掲
Ａｊ2 ＝ （Ｋｊ×βｄｒｅｆ2） ／ （Ｋｒｅｆ×βｃｒｅｆ2）
＝ ｙ ／ ｘ・・・（但し、ｙ ＝ Ｋｊ×βｄｒｅｆ2， ｘ ＝ Ｋｒｅｆ×βｃｒｅｆ2）
ここで、ｙ ＝ Ｋｊ×βｄｒｅｆ2， ｘ ＝ Ｋｒｅｆ×βｃｒｅｆ2は共に乗算のみで計算可能である。
【０１５４】
ｙ ＞ ｘの時はＡｊ＞１と判断することができ、式２は、
βｄ ＝ １５，
βｃ ＝ Ｒｏｕｎｄｄｏｗｎ（１５／Ａｊ）・・βｃ＝１〜１５の整数
（Ａｊ＞１）・・式２再掲
であるので、１５／Ａｊの切り捨てがβｃであることを考えると、
βｃ≦１５／Ａｊ＜βｃ＋１・・・βｃは１〜１５の整数
βｃ2≦（２２５×ｘ） ／ ｙ＜（βｃ＋１）2
βｃ 2×ｙ ≦ ２２５×ｘ ＜（βｃ ＋１）2×ｙ
となり、１〜１５の整数を満たすβｃが求めるβｃである。（βｄ ＝ １５）
同様に、ｙ ≦ ｘの時はＡｊ≦１と判断することができ、式３は、
βｄ ＝ Ｒｏｕｎｄｕｐ（１５×Ａｊ），
βｃ ＝ １５・・・βｄ＝０〜１４の整数
（Ａｊ≦１）・・・式３再掲
であるので、１５×Ａｊの小数点以下切り上げがβｄであることを考えると、
βｄ−１＜１５×Ａｊ≦βｄ ………βｄは０〜１４の整数
（βｄ−１） 2 ＜（２２５×ｙ） ／ ｘ≦βｄ 2
（βｄ−１） 2×ｘ ＜ ２２５×ｙ ≦βｄ2×ｘ
となり、０〜１４の整数を満たすβｄが求めるβｄである。（βｃ ＝ １５）
以上をまとめると、
ｙ ＝ Ｋｊ×βｄｒｅｆ2
ｘ ＝ Ｋｒｅｆ×βｃｒｅｆ2
・ｙ ＞ ｘの時
βｃ 2×ｙ ≦ ２２５×ｘ ＜（βｃ ＋１）2×ｙ…βｃは１〜１５の整数
βｄ ＝ １５  ・・・式８
・ｙ ≦ ｘの時
βｃ ＝ １５
（βｄ−１） 2×ｘ ＜ ２２５×ｙ ≦βｄ2×ｘ・・βｄは０〜１４の整数・・・式９
とすることが出来る。
【０１５５】
従来の技術にて式１、式２、式３を使用して浮動小数点および平方根演算を含んだ演算を行う処理と比較し、式８、式９において、ｘおよびｙの計算を行い式を満たすβｃおよびβｄを算出することは単純な整数の乗算で行うことができ、容易に実現することが出来る。
【０１５６】
これらの計算は、上位から与えられた最大１０２４のＴＦＣ数分について行う必要があり、ハードウェアで構成した場合やＤＳＰなどのプロセッサを使用した場合でも本発明によれば半分以下の処理量で実現することが出来る。
【実施例３】
【０１５７】
図３の本発明のＴＦＣ選択制御回路の第２の機能ブロック構成図を基に、具体的な数値例を上げながら本発明の実施例をさらに詳細に説明する。
【０１５８】
図６に、実施例によるＴＦＣＳ５４通りの説明を示す。
【０１５９】
図６では、ＴＦＣＩとＴＦＣＳから計算したＫｊ、ゲインファクタβｄ、βｃの対応テーブルの例が示されている。
１）呼接続時
呼接続時には、以下の情報が上位レイヤから与えられる。
【０１６０】
・ＴＦＣＳ（５４通り）・・・図６の説明表のうちＴＦＣＩに対応するＴｒＢＬＫ長，    ＴｒＢＬＫ数，ＣＲＣｂｉｔ長，符号化種別が与えられる。
【０１６１】
・ｒｅｆｅｒｅｎｃｅ ＴＦＣＩ ＝ ５３
・βｃｒｅｆ ＝ ５・・・図６の説明表のうちｒｅｆｅｒｅｎｃｅ ＴＦＩ ＝ ５３
のβｃとなる。
・βｄｒｅｆ ＝ １５・・・図６の説明表のうちｒｅｆｅｒｅｎｃｅ ＴＦＣＩ ＝ ５３のβｃとなる。
・最大送信電力Ｐｍａｘ ＝ ２２．５ｄＢｍ
・ΔＡＣＫ＝８：式４からβｈｓ＝βｃ×３２  （Ｎ＝３２）
・ΔＮＡＣＫ＝６：式４からβｈｓ＝βｃ×２０  （Ｎ＝２０）
・ΔＣＱＩ＝２：式４からβｈｓ＝βｃ×９  （Ｎ＝９）
上位レイヤからＴＦＣＳが５４通りあることが通知され、それぞれＴＦＣＩ０〜５３に対応するＫｊを３ＧＰＰの規定に基づき以下のように符号化種別により算出することが出来る。
【０１６２】
畳み込み符号（符号化率＝１／３）：
Ｋｊ＝[（（ＴｒＢＬＫ長＋ＣＲＣｂｉｔ長）×ＴｒＢＬＫ数）＋８]×３
タ−ボ符号（符号化率＝１／３）：
Ｋｊ＝[（ＴｒＢＬＫ長＋ＣＲＣｂｉｔ長）×ＴｒＢＬＫ数]×３＋１２
図６は実施例によるＴＦＣＳ５４通りの説明である。
【０１６３】
ｒｅｆｅｒｅｎｃｅ ＴＦＣＩ ＝ ５３であることから、ＫｒｅｆはＴＦＣＩ ＝ ５３のＫｊであるので、Ｋｒｅｆ ＝ ２００２２２５であることが分かる。        
【０１６４】
式２および式３から図６のゲインファクタ演算結果βｄとβｃを計算する。
【０１６５】
ここでは、例としてＴＦＣＩ＝１０とＴＦＣＩ＝４０を計算する。
・ＴＦＣＩ＝１０の計算例
ｙ ＝ Ｋｊ×βｄｒｅｆ2 ＝ １５９７３０×１５2 ＝ ３５９３９２５０
ｘ ＝ Ｋｒｅｆ×βｃｒｅｆ2 ＝ ２００２２２５×５2 ＝ ５００５５６２５
ｙ ≦ ｘであるのでβｃ ＝ １５となり、βｄは０〜１４を満たす整数として、
（βｄ−１） 2×ｘ ＜ ２２５×ｙ ≦ βｄ 2×ｘ
（βｄ−１） 2×５００５５６２５ ＜ ２２５×３５９３９２５０ ≦βｄ2×
５００５５６２５
（βｄ−１） 2×５００５５６２５ ＜ ８０８６３３１２５０ ≦βｄ2×
５００５５６２５
βｄ＝０から順に演算して条件を満たすのはβｄ ＝ １３ということが分かる。
・ＴＦＣＩ＝４０の計算例
ｙ ＝ Ｋｊ×βｄｒｅｆ2 ＝ １３４８６３０×１５2 ＝ ３０３４４１７５０
ｘ ＝ Ｋｒｅｆ×βｃｒｅｆ2 ＝ ２００２２２５×５2 ＝ ５００５５６２５
ｙ ＞ ｘであるのでβｄ ＝ １５となり、βｃは１〜１５を満たす整数として、
βｃ 2×ｙ ≦ ２２５×ｘ ＜（βｃ ＋１）2×ｙ
βｃ 2×３０３４４１７５０ ≦ ２２５×５００５５６２５ ＜（βｃ ＋１）2×
３０３４４１７５０
βｃ 2×３０３４４１７５０ ≦ １１２６２５１５６２５ ＜（βｃ ＋１）2×
３０３４４１７５０  βｃ＝１から順に演算して条件を満たすのはβｃ ＝ ６ということが分かる。
【０１６６】
全てＴＦＣＩについてゲインファクタ演算部１１１で演算を行い、図６の表の実施例のようにβｃとβｄの組合せを作成してＴＦＣＩ−βｃ，βｄ対応管理部１１３で管理を行う。
【０１６７】
呼接続時にはＰｃ＿ｔ（ｋ）テーブル作成部１２７にてＰｃ＿ｔ（ｋ）テーブルの作成を行う。
【０１６８】
テーブルの作成に当たり、ＨＳ−ＤＰＣＣＨ送信無しの場合は、式６でγ＝１ + βｄ（ｋ）2/βｃ（ｋ）2として小数点第２位を繰り上げて作成した図７に示すゲインファクタパワー比の対数速算表である１０Ｌｏｇ10γテーブルを予め用意しておく。
【０１６９】
また、ＨＳ−ＤＰＣＣＨ送信有りの場合は、式３のＮ＝１０^（ΔＨＳ−ＤＰＣＣＨ/２０）として、Ｎ＝３２,２６,２０,１６,１３,９,８,６,５のいずれかがそれぞれΔＡＣＫ、ΔＮＡＣＫ、ΔＣＱＩとして与えられる。
【０１７０】
この為全てのＮについて式６と式７から１０Ｌｏｇ10γのテーブルを予め用意しておく。
【０１７１】
この例では全ての１０Ｌｏｇ10γテーブルを示すのは省略し、上位からの要求で実際に使用するΔＡＣＫ：Ｎ＝３２、ΔＮＡＣＫ：Ｎ＝２０、ΔＣＱＩ：Ｎ＝９についてのみ、それぞれ図８、図９、図１０の１０Ｌｏｇ10γテーブルの試算例に示す。
【０１７２】
また、ＨＳ−ＤＰＣＣＨ送信有り時で、ｈｓ−ＤＴＸ時（送信なし時）は通常時のテーブル図７を使用する。
【０１７３】
呼接続時に行うＰｃ＿ｔ（ｋ）テーブル作成部１２７によるＰｃ＿ｔ（ｋ）テーブルは最大送信電力Pｍａｘ＝２２.５ｄＢおよび式７から図７、図８、図９、図１０にそれぞれ対応して作成して、図１１、図１２、図１３、図１４のＰｃ＿ｔ（Ｋ）テーブルとする。これはＰｃ＿ｔ（ｋ）テーブル１２８にて管理される。
（フレーム毎動作の説明）
図１５に実施例３のＴＦＣ選択動作説明を示す。図１５で、Ｔ−Ａは、スロット番号とＨＳ−ＤＰＣＣＨ送信情報、各スロットの制御チャネル送信電力、Ｔ−Ｂは、ゲインファクタβｄ、βｃの可能な組合せ３０通りに対して、各スロットのＨＳ−ＤＰＣＣＨ送信情報を基に、Ｐｃ＿ｔ（ｋ）テーブルから読み出した制御チャネルの閾値電力Ｐｃ＿ｔ（ｋ）の一覧テーブル、Ｔ−Ｃは、Ｔ−Ｂを基にした、現１５スロット、前１５スロット、最新３０スロットに対するＰｍａｘ越え数のカウント結果と、βｃ，βｄ組合せ毎状態管理部の遷移状態の対応例を示す。
【０１７４】
呼接続後にはフレーム毎動作を行うが、図３による本発明のＴＦＣ選択制御回路の第２の機能ブロック構成図にも示されるようにPｃ（ｓ）,Ｐｃ＿ｔ（ｋ）比較部１２９’には最新１５スロットのＤPＣＣＨ送信電力Pｃ（ｓ）とＡＣＫ / ＮＡＣＫ / ＣＱＩ / ＤＴＸのどれを送信したかの情報を他のブロックより得ることが出来る。
【０１７５】
実施例３では図１５のスロット番号０〜１４に対応したPｃ（ｓ）とＨＳ−ＤＰＣＣＨ送信情報（ＡＣＫ/ＮＡＣＫ/ＣＱＩ/ＤＴＸ）がそれである。
【０１７６】
Pｃ（ｓ）,Ｐｃ＿ｔ（ｋ）比較部１２９’では、ＡＣＫ/ＮＡＣＫ/ＣＱＩ/ＤＴＸに対応したＰｃ＿ｔ（ｋ）テーブルである図１１、図１２、図１３、図１４のＰｃ＿ｔ（ｋ）テーブルを元に各βｃとβｄの組合せ毎に比較し、組合せ毎Pｍａｘ越え数管理部１３０にてPｍａｘを越えた数を管理する。
【０１７７】
図１５では、各スロットにおけるβｃ,βｄの組合せ毎にＡＣＫ/ＮＡＣＫ/ＣＱＩ/ＤＴＸに対応したＰｃ＿ｔ（ｋ）を示し、βｃ,βｄ組合せ毎Pｍａｘ越え数管理部１３０の現１５スロットPｍａｘ越えの数をカウントしている。
【０１７８】
また、前１５スロットPｍａｘ越えの数を保持しており、合わせて最新３０スロットPｍａｘ越えの数を算出している。
【０１７９】
βｃ,βｄ組合せ毎状態遷移制御部１３１では、状態遷移で判断する項目である、
（ａ）推定した送信電力値が連続する測定区間３０スロット中１５スロット以上最大送信    電力値以上となった場合
（ｂ）推定した送信電力値が連続３０スロット最大送信電力値未満だった場合を判定する。
【０１８０】
例えば中間に位置するβｄ：βｃ＝１５：１５であるｋ＝１４から条件（ａ）,（ｂ）を満たすかを検索する。
【０１８１】
最新３０スロットPｍａｘ越え数をＮｏｖｅｒとするとｋ＝１４ではＮｏｖｅｒ＝０となり（ｂ）を満たしている。
【０１８２】
電力的には余裕があるということなので、ｋを１つ下げて電力の高い方向であるｋ＝１３を検索するとＮｏｖｅｒ＝０であり（ｂ）を満たしている。
【０１８３】
同様にｋ＝１２を検索するとＮｏｖｅｒ＝１であり（ｂ）を満たさなくなり、（ａ）の条件も満たさない。
【０１８４】
したがってｋ＝１３が（ｂ）を満たす閾値であり、これより低い電力のｋ＝１３〜２９は全て（ｂ）を満たす。続けてｋ＝１１から電力の高い方向に検索してｋ＝４でＮｏｖｅｒ＝１９となり、初めて（ａ）を満たす。
【０１８５】
したがってｋ＝４が（ａ）を満たす閾値であり、これより高い電力のｋ＝０〜４は全て（ａ）を満たす。
【０１８６】
また、（ａ）を満たす閾値ｋ＝４と（ｂ）を満たす閾値ｋ＝１３を保持しておき、次フレームで同様の検索を行う場合には中間であるｋ＝１４からでなくそれぞれの閾値から検索することで、容易に新たな閾値を見つけることが出来る。
【０１８７】
βｃ,βｄ組合せ毎状態遷移制御部１３１ではさらに各βｃとβｄの組合せの（ａ）,（ｂ）の条件判断の結果を元に従来の技術で説明した状態遷移の定義に基づいて状態遷移を行う。
【０１８８】
初回の状態は全てＳｕppｏｒｔｅｄ ｓｔａｔｅであるので（ａ）のを満たすｋ＝０〜４は全てＥｘｃｅｓｓ-pｏｗｅｒ ｓｔａｔｅとなり、それ以外のｋは全てＳｕppｏｒｔｅｄ ｓｔａｔｅとなる。
【０１８９】
図１５の例では、ｋ＝０〜２はＢｌｏｃｋｅｄ ｓｔａｔｅとしている。これは、ｋ＝４から電力の高い方向に状態遷移を行っていき、ｋ＝２でＢｌｏｃｋｅｄ ｓｔａｔｅとなった為に、ｋ＝０〜２は全てＢｌｏｃｋｅｄ ｓｔａｔｅと判断出来る。
【０１９０】
このようにして、βｃ,βｄ組合せ毎状態管理部１３２では各βｃ,βｄの組合せ毎に状態表が作成される。
【０１９１】
最後にＴＦＣ選択制御部１２６では、Ｂｌｏｃｋｅｄ ｓｔａｔｅでないＴＦＣを１つの条件として選択するが、５４のＴＦＣのどのＴＦＣがどの状態であるかはＴＦＣＩ-βｃ,βｄ対応管理部１１３を参照することで容易に判別することが出来る。
【０１９２】
（付記１）
最大送信電力制約に従って状態遷移を行いながら、Ｗ−ＣＤＭＡ通信端末用に基地局向けの上り信号の伝送情報識別コード選択制御処理を行う伝送情報識別コード選択制御回路において、
全送信電力が最大送信電力となる制御チャネルの閾値送信電力を、データチャネルと制御チャネルのレベル制御の為に使われるゲインファクタの可能な組合せと前記最大送信電力とから、事前に制御チャネル閾値電力テーブルとしてテーブル化する制御チャネル閾値電力テーブル化手段、
該制御チャネル閾値電力テーブル化手段のテーブル値と所定単位時間毎の前記制御チャネルの送信電力を比較する電力比較手段、を有し、伝送情報識別コードの選択制御を行うことを特徴とする伝送情報識別コード選択制御回路。
【０１９３】
（付記２）
付記１に記載の伝送情報識別コード選択制御回路において、
基地局からの高速ダウンリンク共用チャネルに対する応答チャネルの利用が開始された場合に、
前記制御チャネル閾値電力テーブル化手段は、
該応答チャネルの確認応答信号に対して呼接続時に上位レイヤから指定された該応答チャネルのゲインファクタによる変化分を差し引いた、前記制御チャネル閾値電力テーブルの作成を行う、伝送情報識別コード選択制御回路。
【０１９４】
（付記３）
付記１又は付記２に記載の伝送情報識別コード選択制御回路において、
最大送信電力制約を基にした前記伝送情報識別コード選択制御処理における状態遷移管  理を、前記制御チャネル閾値電力テーブルにおける制御チャネル、データチャネルのゲ  インファクタの組合せ値を基に行う事を特徴とする伝送情報識別コード選択制御回路。      
【０１９５】
（付記４）
付記３に記載の伝送情報識別コード選択制御回路において、
前記ゲインファクタβｄとゲインファクタβｃの組合せ毎に作成する状態管理テ−ブルを送信電力の高い組合せ順に並べて作成し、
伝送情報識別コード決定の為の最新測定区間に対して特定のゲインファクタβｄとゲインファクタβｃにより決まる送信電力が最大送信電力を該最新測定区間の内、半数の前記所定単位時間で超えている場合は、
該送信電力を閾値としてそれより送信電力が高い組合せの該βｄと該βｃは全て半数以上の所定単位時間で越えているとして判断し、
特定のゲインファクタβｄとゲインファクタβｃにより決まる送信電力が前記最新測定
区間で最大送信電力を超えていない場合は、
該送信電力を閾値としてそれより送信電力が低い組合せのゲインファクタβｄとゲインファクタβｃによる送信電力は最新測定区間で超えていないとして判断し、
状態遷移条件の判断を行う伝送情報識別コード選択制御回路。
（付記５）
付記４に記載の伝送情報識別コード選択制御回路において、
前記ゲインファクタβｄとゲインファクタβｃの組合せ毎に作成する状態管理テ−ブルを送信電力の高い方から並べて管理し、
送信電力が、最大送信電力を前記最新測定区間の内、初めて半数以上の前記所定単位時間で超えたゲインファクタβｃとゲインファクタβｄの組合せと、
送信電力が、最大送信電力を最新測定区間全てで初めて越えていないゲインファクタβｃとゲインファクタβｄの組合せを閾値として保持し、
次のフレ−ムで閾値を探す時に、保持した閾値の場所から新しい閾値を探す伝送情報識別コード選択制御回路。
（付記６）
付記４に記載の伝送情報識別コード選択制御回路において、
状態遷移条件を判断後、３ＧＰＰ規定により実際に状態遷移を行った場合、あるゲインファクタβｄとゲインファクタβｃに対して送信電力値が最大電力値以上になる状態であるＴＦＣ制限状態が所定期間続いた場合にそれより小さいテ−ブルは全てＴＦＣ制限状態として処理を行い、
あるゲインファクタβｄとゲインファクタβｃで送信可能状態になった場合はそれより大きいテ−ブルは全て送信可能状態として処理を行い、
その間を送信パワー超過状態として処理を行うことで、電力比を考慮して状態遷移を行う伝送情報識別コード選択制御回路。
（付記７）
付記１に記載の伝送情報識別コード選択制御回路において、
伝送情報識別コードＴＦＣ毎の送信電力を計算する際に必要となるゲインファクタβｄとゲインファクタβｃを計算する際に、
浮動小数点演算を含む平方根演算および除算を行わず、整数の乗算および比較のみで行うゲインファクタ演算手段を有する伝送情報識別コード選択制御回路。
【産業上の利用可能性】
【０１９６】
Ｗ−ＣＤＭＡ用の通信端末の送信回路において、マルチメディア通信を行う上で、重要な役割を果たすＴＦＣの決定を、よりメモリ規模を小さくし、処理時間を短縮しながら実現することが出来る様になる。
【図面の簡単な説明】
【０１９７】
【図１】本発明のＴＦＣ選択制御回路の機能ブロック構成図である。
【図２】制御チャネル閾値電力Ｐｃ＿ｔ（ｋ）テーブル例である。
【図３】本発明に係るＴＦＣ選択制御回路の第２の機能ブロック構成図である。
【図４】βｃ，βｄ組合せ毎状態管理部１３２の管理テーブル例である。
【図５】βｃ，βｄ組合せ毎Ｐｍａｘ越え数管理部１３０の管理テーブル例である。
【図６】実施例によるＴＦＣＳ５４通りの説明である。
【図７】通常時（ＨＳ−ＤＰＣＣＨ送信無し）の１０Ｌｏｇγテーブルである。
【図８】Ｎ＝３２時（ＨＳ−ＤＰＣＣＨ送信有り）の１０Ｌｏｇ10γテーブルである。
【図９】Ｎ＝２０時（ＨＳ−ＤＰＣＣＨ送信有り）の１０Ｌｏｇ10γテーブルである。
【図１０】Ｎ＝８時（ＨＳ−ＤＰＣＣＨ送信有り）の１０Ｌｏｇ10γテーブルである。
【図１１】通常時（ＨＳ−ＤＰＣＣＨ送信無し）のＰｃ＿ｔ（ｋ）テーブルである。
【図１２】Ｎ＝３２時（ＨＳ−ＤＰＣＣＨ送信有り）のＰｃ＿ｔ（ｋ）テーブルである。
【図１３】Ｎ＝２０時（ＨＳ−ＤＰＣＣＨ送信有り）のＰｃ＿ｔ（ｋ）テーブルである。
【図１４】Ｎ＝９時（ＨＳ−ＤＰＣＣＨ送信有り）のＰｃ＿ｔ（ｋ）テーブルである。
【図１５】実施例３のＴＦＣ選択動作説明である。
【図１６】上り送信出力回路における送信電力制御構成である。
【図１７】ＴＦ、ＴＦＣとＴＦＣＩ、ゲインファクタの相互関係である。
【図１８】上りフレ−ムとＴＦＣＩの構成位置である。
【図１９】従来のＴＦＣ選択制御回路の機能ブロック構成図である。
【図２０】３ＧＰＰ規定のＴＦＣ選択状態遷移図である。
【図２１】ＨＳ−ＤＰＣＣＨ無し時のＴＦＣＩ０，ＴＦＣＩ１の送信電力イメ−ジ例である。
【図２２】ＴＦＣ状態管理部１２５の管理テーブル例である。
【図２３】ＨＳ−ＤＰＣＣＨ有り時のＴＦＣＩ０，ＴＦＣＩ１の送信イメ−ジ例である。
【符号の説明】
【０１９８】
１００  ＴＦＣ選択制御部
１１０  ゲインファクタ部
１１１  ゲインファクタ演算部
１１２  ＨＳ−ＤＰＣＣＨ有時βｈｓ演算部
１１３  ＴＦＣＩ−βｃ，βｄ対応管理部
１２０  ＴＦＣ選択部
１２１  Ｐ（ｓ，ｊ）演算部
１２２  Ｐ（ｓ，ｊ），Ｐｍａｘ比較部
１２３  ＴＦＣ毎Ｐｍａｘ越え数管理部
１２４  ＴＦＣ状態遷移制御部
１２５  ＴＦＣ状態管理部
１２６  ＴＦＣ選択制御部
１２７  Ｐｃ＿ｔ（ｋ）)テーブル作成部
１２８  Ｐｃ＿ｔ（ｋ）テーブル
１２９  Ｐｃ（ｓ），Ｐｃ＿ｔ（ｋ）比較部
１３０  βｃ，βｄ組合せ毎Ｐｍａｘ越え数管理部
１３１  βｃ，βｄ組合せ毎状態遷移制御部
１３２  βｃ，βｄ組合せ毎状態管理部
【図１】
2006020234.tif 000003
【図２】
2006020234.tif 000004
【図３】
2006020234.tif 000005
【図４】
2006020234.tif 000006
【図５】
2006020234.tif 000007
【図６】
2006020234.tif 000008
【図７】
2006020234.tif 000009
【図８】
2006020234.tif 000010
【図９】
2006020234.tif 000011
【図１０】
2006020234.tif 000012
【図１１】
2006020234.tif 000013
【図１２】
2006020234.tif 000014
【図１３】
2006020234.tif 000015
【図１４】
2006020234.tif 000016
【図１５】
2006020234.tif 000017
【図１６】
2006020234.tif 000018
【図１７】
2006020234.tif 000019
【図１８】
2006020234.tif 000020
【図１９】
2006020234.tif 000021
【図２０】
2006020234.tif 000022
【図２１】
2006020234.tif 000023
【図２２】
2006020234.tif 000024
【図２３】
2006020234.tif 000025